(57)【要約】【課題】  ゴミの廃棄が容易となる清掃具を提供する。【解決手段】  清掃具１は、ゴミ５５を収集するフィルタ５０がその一方面２２を覆うように取り付けられる枠部２０を有する。尚、枠部２０の一方部分から他方部分にかけては、フィルタ支持部４０が掛け渡されるように配置されている。フィルタ支持部４０は、第２のハンドル４４を枠部２０の側に近づけると枠部２０の他方面２３の側に膨出する使用状態となり、第２のハンドル４４を枠部２０の側から遠ざけると平面状となるように構成されている。ここで図の（１）を参照して、使用状態のフィルタ支持部４０に沿うフィルタ５０の内部にゴミ５５が溜まっている。この状態から、第２のハンドル４４を枠部２０の側から遠ざけると、図の（２）に示すように、フィルタ支持部４０が平面状に戻り、ゴミ５５が枠部２０の一方面２２の側に押し出されるので、ゴミ５５の廃棄が容易となる。【選択図】  図１１
2014070377.tif 000002
【特許請求の範囲】
【請求項１】
清掃具であって、
柄部と、
前記柄部に接続され、その一方面を覆うようにゴミを収集するためのフィルタを取り付けることができる枠部と、
可撓性材料よりなり、前記枠部の一方部分から他方部分に掛け渡すように平面状に配置されるフィルタ支持部と、
前記一方部分と前記他方部分との間において、前記フィルタ支持部を前記枠部の他方面側に膨出した使用状態とすることができ、かつ、前記使用状態を解除して前記フィルタ支持部を元の状態に戻すことができるフィルタ支持部調節手段とからなる、清掃具。
【請求項２】
前記フィルタは、開口部が伸縮自在とされた袋形状を有し、前記開口部が前記枠部に脱着自在に取り付けられる、請求項１記載の清掃具。
【請求項３】
前記フィルタ支持部は、前記枠部に各々の一方端部が接続した複数本のワイヤよりなる、請求項１又は請求項２記載の清掃具。
【請求項４】
前記フィルタ支持部は、前記枠部に一方端部が接続した板ばねよりなる、請求項１又は請求項２記載の清掃具。
【請求項５】
前記フィルタ支持部調節手段は、前記柄部に内蔵され、前記複数本のワイヤの他方端部の各々に接続し、前記柄部に対してその軸方向に摺動自在である棒状体よりなる、請求項３記載の清掃具。
【請求項６】
前記枠部の先端部分は、平面視直線形状を有する、請求項１から請求項５のいずれかに記載の清掃具。
【請求項７】
前記枠部の前記柄部側の部分において、前記フィルタの前記開口部の一部分を掛け止め可能に形成されるフィルタ掛止部と、
前記フィルタ掛止部を掛け止め可能状態と掛け止め解除状態とに変化させることができるフィルタ掛止部調節手段とを更に備える、請求項２から請求項６のいずれかに記載の清掃具。
【発明の詳細な説明】
【技術分野】
【０００１】
この発明は清掃具に関し、特にグリーストラップの清掃具に関するものである。
【背景技術】
【０００２】
飲食店等の業務用の厨房施設から流出する廃水は、厨房施設の床下に設置されるグリーストラップを経て、ある程度汚れが除去された状態で公共の下水施設に排水される。
【０００３】
図１４は、そのようなグリーストラップの概略構成を示す断面図である。
【０００４】
図を参照して、グリーストラップ８０は、一般に、上流側から下流側に向かって生ゴミ類捕集槽８１、油脂捕集槽８２、排水槽８３に区画されている。
【０００５】
厨房施設９０から流出する廃水８４はまず生ゴミ類捕集槽８１に流下する。生ゴミ類捕集槽８１には生ゴミ捕集カゴ８５が設置されており、廃水８４に混入している生ゴミ類は生ゴミ捕集カゴ８５によって捕集される。
【０００６】
続いて、生ゴミ類が捕集された廃水８４は油脂捕集槽８２に流下し、ここで廃水８４に混入している動植物性の油脂が捕集される。
最後に、生ゴミ類や動植物性の油脂が捕集された廃水８４のみが排水槽８３に到達し、排水管８６を通って公共の下水施設に排水されることになる。
【先行技術文献】
【特許文献】
【０００７】
【特許文献１】特開２００３−２４５５０７号公報
【発明の概要】
【発明が解決しようとする課題】
【０００８】
上記のような従来のグリーストラップ８０は、生ゴミ類捕集槽８１、油脂捕集槽８２、排水槽８３の各々にゴミが溜まるので定期的に清掃する必要があった。尚、グリーストラップ８０は床下に設置されているため、グリーストラップ８０の清掃には、例えば清掃具代わりに網やザルを用いてゴミを掬い上げるといった方法が採られていた。しかし、このような方法は手が汚れやすく、又、ゴミが廃棄しにくい等清掃効率が悪く、煩わしいものであった。
【０００９】
この発明は、上記のような課題を解決するためになされたもので、ゴミの廃棄が容易となる清掃具を提供することを目的とする。
【課題を解決するための手段】
【００１０】
上記の目的を達成するために、請求項１記載の発明は、清掃具であって、柄部と、柄部に接続され、その一方面を覆うようにゴミを収集するためのフィルタを取り付けることができる枠部と、可撓性材料よりなり、枠部の一方部分から他方部分に掛け渡すように平面状に配置されるフィルタ支持部と、一方部分と他方部分との間において、フィルタ支持部を枠部の他方面側に膨出した使用状態とすることができ、かつ、使用状態を解除してフィルタ支持部を元の状態に戻すことができるフィルタ支持部調節手段とからなるものである。
【００１１】
このように構成すると、取り付けたフィルタの表面の位置を変化させることができる。
【００１２】
請求項２記載の発明は、請求項１記載の発明の構成において、フィルタは、開口部が伸縮自在とされた袋形状を有し、開口部が枠部に脱着自在に取り付けられるものである。
【００１３】
このように構成すると、フィルタが使用状態のフィルタ支持部に沿う。
【００１４】
請求項３記載の発明は、請求項１又は請求項２記載の発明の構成において、フィルタ支持部は、枠部に各々の一方端部が接続した複数本のワイヤよりなるものである。
【００１５】
このように構成すると、フィルタ支持部の材料が安価なものとなる。
【００１６】
請求項４記載の発明は、請求項１又は請求項２記載の発明の構成において、フィルタ支持部は、枠部に一方端部が接続した板ばねよりなるものである。
【００１７】
このように構成すると、フィルタ支持部の構成が簡易なものとなる。
【００１８】
請求項５記載の発明は、請求項３記載の発明の構成において、フィルタ支持部調節手段は、柄部に内蔵され、複数本のワイヤの他方端部の各々に接続し、柄部に対してその軸方向に摺動自在である棒状体よりなるものである。
【００１９】
このように構成すると、棒状体を摺動させるとワイヤが膨出したり元の状態に戻ったりする。
【００２０】
請求項６記載の発明は、請求項１から請求項５のいずれかに記載の発明の構成において、枠部の先端部分は、平面視直線形状を有するものである。
【００２１】
このように構成すると、ゴミを削り取りやすくなる。
【００２２】
請求項７記載の発明は、請求項２から請求項６のいずれかに記載の発明の構成において、枠部の柄部側の部分において、フィルタの開口部の一部分を掛け止め可能に形成されるフィルタ掛止部と、フィルタ掛止部を掛け止め可能状態と掛け止め解除状態とに変化させることができるフィルタ掛止部調節手段とを更に備えるものである。
【００２３】
このように構成すると、フィルタ掛止部の状態変化に応じてフィルタが脱着される。
【発明の効果】
【００２４】
以上説明したように、請求項１記載の発明は、取り付けたフィルタの表面の位置を変化させることができるので、ゴミの廃棄が容易となる。
【００２５】
請求項２記載の発明は、請求項１記載の発明の効果に加えて、フィルタが使用状態のフィルタ支持部に沿うので、ゴミの収集量が増加して清掃効率が向上する。
【００２６】
請求項３記載の発明は、請求項１又は請求項２記載の発明の効果に加えて、フィルタ支持部の材料が安価なものとなるので、コスト的に有利となる。
【００２７】
請求項４記載の発明は、請求項１又は請求項２記載の発明の効果に加えて、フィルタ支持部の構成が簡易なものとなるので、清掃具の製造が容易となる。
【００２８】
請求項５記載の発明は、請求項３記載の発明の効果に加えて、棒状体を摺動させるとワイヤが膨出したり元の状態に戻ったりするので、フィルタ支持部の状態変化が容易となる。
【００２９】
請求項６記載の発明は、請求項１から請求項５のいずれかに記載の発明の効果に加えて、ゴミを削り取りやすくなるので、清掃効率が向上する。
【００３０】
請求項７記載の発明は、請求項２から請求項６のいずれかに記載の発明の効果に加えて、フィルタ掛止部の状態変化に応じてフィルタが脱着されるので、フィルタの取替えが容易となる。
【図面の簡単な説明】
【００３１】
【図１】この発明の第１の実施の形態による清掃具の平面図である。
【図２】図１で示した清掃具の正面図である。
【図３】図１で示したＩＩＩ−ＩＩＩラインの端面図である。
【図４】図１で示したＩＶ−ＩＶラインの端面図である。
【図５】図１で示したフィルタ掛止部及び第１の棒状体の平面図である。
【図６】図１で示したフィルタ支持部及び第２の棒状体の平面図である。
【図７】図１で示した清掃具において、第１のハンドル及び第２のハンドルの各々を枠部の側から遠ざけた状態の清掃具の平面図である。
【図８】図７で示した清掃具の正面図である。
【図９】図１で示した清掃具にフィルタを取り付ける過程を示した模式図である。
【図１０】図９で示した清掃具を使用状態にする過程を示した模式図である。
【図１１】図１０の（２）で示した清掃具の状態からゴミを廃棄する過程を示した模式図である。
【図１２】図１１の（２）で示したフィルタを取替える過程を示した模式図である。
【図１３】この発明の第２の実施の形態による清掃具の平面図であって、第１の実施の形態の図１に対応する図である。
【図１４】従来のグリーストラップの概略構成を示す断面図である。
【発明を実施するための形態】
【００３２】
図１は、この発明の第１の実施の形態による清掃具の平面図であり、図２は、図１で示した清掃具の正面図であり、図３は、図１で示したＩＩＩ−ＩＩＩラインの端面図であり、図４は、図１で示したＩＶ−ＩＶラインの端面図であり、図５は、図１で示したフィルタ掛止部及び第１の棒状体の平面図であり、図６は、図１で示したフィルタ支持部及び第２の棒状体の平面図である。
【００３３】
これらの図を参照して、清掃具１は、金属製の筒形状の柄部１０と、金属製であって、柄部１０に接続される平面視略長円形状の枠部２０とを有する。
【００３４】
枠部２０は、その柄部１０の側の部分においてはフィルタ掛止部３０が、フィルタ掛止部３０に対向する部分においては切り欠き２１がそれぞれ形成されており、後述するフィルタを、その一方面２２を覆うように取り付けることができるものとなっている。尚、フィルタ掛止部３０は一対の例えばステンレス製のワイヤよりなり、その一方端部３１ａ及び３１ｂが枠部２０の外面２４に接続する。このように構成すると、フィルタ掛止部３０の材料が安価なものとなるので、コスト的に有利となる。
【００３５】
フィルタ掛止部３０の他方端部３２ａ及び３２ｂは、柄部１０に内蔵され、柄部１０に対してその軸方向に摺動自在である第１の棒状体３３（フィルタ掛止部調節手段）に接続している。このように構成すると、第１の棒状体３３を摺動させるとワイヤが撓んで突出したり、後述するように枠部２０の外面２４に沿ったりするので、フィルタ掛止部３０の状態変化が容易となる。
【００３６】
第１の棒状体３３には、柄部１０に形成された第１の位置決め開口部１１より柄部１０の外方に突出する第１のハンドル３４が接続されている。第１の位置決め開口部１１は平面視略Ｕ字型に形成されており、第１のハンドル３４は第１の位置決め開口部１１の内側において移動自在となっている。尚、第１のハンドル３４が枠部２０の側に位置している時は、フィルタ掛止部３０は枠部２０の外方側に突出するように撓んだ状態（掛け止め可能状態）となる。
【００３７】
枠部２０の柄部１０の側の一方部分２５から他方部分２６にかけては、フィルタ支持部４０が掛け渡されるように配置されている。尚、フィルタ支持部４０は複数本の例えばステンレス製のワイヤよりなり、その一方端部４１が枠部２０の他方端部２６に接続する。このように構成すると、フィルタ支持部４０の材料が安価なものとなるので、コスト的に有利となる。
【００３８】
フィルタ支持部４０の他方端部４２は、柄部１０に内蔵され、柄部１０に対してその軸方向に摺動自在である第２の棒状体４３（フィルタ支持部調節手段）に接続している。このように構成すると、第２の棒状体４３を摺動させるとワイヤが撓んで膨出したり、後述する元の状態に戻ったりするので、フィルタ支持部４０の状態変化が容易となる。
【００３９】
第２の棒状体４３には、柄部１０に形成された第２の位置決め開口部１２より柄部１０の外方に突出する第２のハンドル４４が接続されている。第２の位置決め開口部１２は平面視略逆Ｕ字型に形成されており、第２のハンドル４４は第２の位置決め開口部１２の内側において移動自在となっている。尚、第２のハンドル４４が枠部２０の側に位置している時は、フィルタ支持部４０は枠部２０の一方部分２５と他方部分２６との間において、枠部２０の他方面２３の側に膨出する状態（使用状態）となる。
【００４０】
図７は、図１で示した清掃具において、第１のハンドル及び第２のハンドルの各々を枠部の側から遠ざけた状態の清掃具の平面図であり、図８は、図７で示した清掃具の正面図である。
【００４１】
これらの図を参照して、第１のハンドル３４を枠部２０の側から遠ざけるように移動させると、第１の棒状体３３と共にフィルタ掛止部３０の他方端部３２ａ及び３２ｂが柄部１０の内部に引き込まれるため、フィルタ掛止部３０は枠部２０の外面２４に沿う状態（掛け止め解除状態）となる。又、第２のハンドル４４を枠部２０の側から遠ざけるように移動させると、第２の棒状体４３と共にフィルタ支持部４０の他方端部４２が柄部１０の内部に引き込まれるため、フィルタ支持部４０は平面状に配置された状態、すなわち使用状態を解除した元の状態となる。このように構成したことによる効果は後述する。
【００４２】
図９は、図１で示した清掃具にフィルタを取り付ける過程を示した模式図であり、図１０は、図９で示した清掃具を使用状態にする過程を示した模式図である。
【００４３】
まず、図９の（１）を参照して、清掃具１において、第１のハンドル３４が枠部２０の側に位置している、すなわちフィルタ掛止部３０が掛け止め可能状態となっていると共に、第２のハンドル４４が枠部２０の側から遠ざかった位置に位置している、すなわちフィルタ支持部４０が使用状態を解除した元の平面状の状態となっている。
【００４４】
フィルタ５０は、後述するゴミを収集するためのものであって、ストッキング状の生地よりなり、開口部５１が伸縮自在とされた袋形状を有し、開口部５１が枠部２０に脱着自在に取り付けられるものである。このように構成したことによる効果は後述する。
【００４５】
次に、図９の（２）を参照して、フィルタ５０の開口部５１を枠部２０の切り欠き２１に引っ掛ける。このようにすると、フィルタ５０が切り欠き２１に挟まれて保持されるので、フィルタ５０の取り付け状態が安定する。この状態からフィルタ５０を図の矢印で示す柄部１０の側に引っ張る。すると、開口部５１は伸縮自在であるため開口部５１が柄部１０の側に伸びるように広がっていく。
【００４６】
次に、図１０の（１）を参照して、伸ばしたフィルタ５０の開口部５１の一部分５２をフィルタ掛止部３０に掛止して、枠部２０の一方面２２を覆うようにフィルタ５０を枠部２０に取り付ける。この状態で、第２のハンドル４４を枠部２０の側に移動させる。
【００４７】
最後に、図１０の（２）を参照して、第２のハンドル４４の移動によりフィルタ支持部４０が枠部２０の他方面２３側に膨出した使用状態に変化する。この状態においてフィルタ５０の袋状の部分をフィルタ支持部４０の側に押し下げて、清掃具１を使用状態にする。このようにすると、フィルタ５０が使用状態のフィルタ支持部４０の内面側に沿うので、ゴミの収集量が増加して清掃効率が向上する。
【００４８】
この状態で、柄部１０を把持し、例えば図１４で示したグリーストラップ８０の生ゴミ類捕集槽８１、油脂捕集槽８２、排水槽８３の各々に枠部２０を入れて、各々の槽に残ったゴミをフィルタ５０にて収集し、掬い上げる。
【００４９】
図１１は、図１０の（２）で示した清掃具の状態からゴミを廃棄する過程を示した模式図である。
【００５０】
まず、図１１の（１）を参照して、収集したゴミ５５が、使用状態のフィルタ支持部４０に沿うフィルタ５０の内部に溜まっている。この状態で、第２のハンドル４４を枠部２０の側から遠ざかった位置に移動させる。
【００５１】
すると、図１１の（２）を参照して、フィルタ支持部４０の使用状態が解除され、フィルタ支持部４０が図の二点鎖線で示した形状から平面状に戻る。このようにすると、取り付けたフィルタ５０の表面の位置を枠部２０の他方面２３の側から一方面２２の側に変化させることができるので、ゴミ５５が枠部２０の一方面２２の側に押し出され、ゴミ５５の廃棄が容易となる。
【００５２】
尚、ゴミ５５を廃棄した後、再度第２のハンドル４４を枠部２０の側に移動させるとフィルタ支持部４０が再び使用状態となるので、清掃具１はフィルタ５０が目詰まりするまで繰り返し使用することができる。
【００５３】
図１２は、図１１の（２）で示したフィルタを取替える過程を示した模式図である。
【００５４】
まず、図１２の（１）を参照して、第１のハンドル３４を枠部２０の側から遠ざかった位置に移動させる。
【００５５】
すると、図１２の（２）を参照して、フィルタ掛止部３０が、図の二点鎖線で示した掛け止め可能状態から、枠部２０の外面２４に沿う掛け止め解除状態となり、フィルタ掛止部３０からフィルタ５０の開口部５１の一部分５２が外れる。ここで、伸張状態で取り付けられていたフィルタ５０の開口部５１が元の状態に戻ろうと収縮するので、フィルタ５０の取り付け状態も同時に解除され、枠部２０からフィルタ５０が前方に移動して自動的に外れる。このように構成すると、フィルタ掛止部３０の状態変化に応じてフィルタ５０が脱着されるので、フィルタ５０の取替えが容易となる。
【００５６】
図１３は、この発明の第２の実施の形態による清掃具の平面図であって、第１の実施の形態の図１に対応する図である。
【００５７】
図を参照して、第１の実施の形態による清掃具１における枠部２０が、その先端部分６５が平面視直線形状を有する枠部６０に置き換わっている。柄部１０の枠部６０側の端部から先端部分６５までの長さは１９５ｍｍに、先端部分６５の幅は７５ｍｍに、枠部６０の厚み（一方面６２から他方面６３までの幅）は１０ｍｍに、それぞれ設定されている。尚、他の清掃具１の構成要素は第１の実施の形態によるものと同一であるため、ここでの説明は繰り返さない。このように構成すると、先端部分６５でゴミを削り取りやすくなるので、清掃効率が向上する。
【００５８】
尚、上記の各実施の形態では、フィルタ支持部は複数本のワイヤよりなるものであったが、可撓性材料よりなり、ある程度剛性のあるものであればよく、例えば、板ばね等からなるものであってもよい。板ばねよりなると、フィルタ支持部の構成が簡易なものとなるので、清掃具の製造が容易となる。
【００５９】
又、上記の各実施の形態では、フィルタ支持部調整手段は第２の棒状体よりなるものであったが、他の手段よりなるものであってもよい。
【００６０】
更に、上記の各実施の形態では、枠部は特定形状とされていたが、他の形状であってもよい。
【００６１】
更に、上記の各実施の形態では、フィルタは袋形状を有するものであったが、他の形状を有するものであってもよく、例えば、単なるシート形状を有するものであってもよい。
【００６２】
更に、上記の各実施の形態では、フィルタはストッキング状の生地よりなるものであったが、他の素材よりなるものでもよく、例えば網状の生地よりなるものであってもよい。
【００６３】
更に、上記の各実施の形態では、フィルタ支持部は枠部において、柄部の側の一方端部から他方端部に掛け渡すように配置されていたが、他の位置に配置されていてもよく、例えば、柄部の軸方向に直交する方向において掛け渡すように配置されていてもよい。
【００６４】
更に、上記の各実施の形態では、柄部及び枠部は金属よりなるものであったが、他の素材よりなるものであってもよい。
【００６５】
更に、上記の各実施の形態では、枠部は、切り欠き及びフィルタ掛止部を介してフィルタを取り付けられるように構成されていたが、フィルタを取り付けられるものであればよい。
【００６６】
更に、上記の各実施の形態では、フィルタ掛止部調整手段は第１の棒状体よりなるものであったが、他の手段よりなるものであってもよく、無くてもよい。
【符号の説明】
【００６７】
１…清掃具
１０…柄部
２０…枠部
２２…一方面
２３…他方面
２５…一方部分
２６…他方部分
３０…フィルタ掛止部
３３…第１の棒状体
４０…フィルタ支持部
４１…一方端部
４２…他方端部
４３…第２の棒状体
４４…第２のハンドル
５０…フィルタ
５１…開口部
５２…一部分
５５…ゴミ
６０…枠部
６５…先端部分
尚、各図中同一符号は同一又は相当部分を示す。
【図１】
2014070377.tif 000003
【図２】
2014070377.tif 000004
【図３】
2014070377.tif 000005
【図４】
2014070377.tif 000006
【図５】
2014070377.tif 000007
【図６】
2014070377.tif 000008
【図７】
2014070377.tif 000009
【図８】
2014070377.tif 000010
【図９】
2014070377.tif 000011
【図１０】
2014070377.tif 000012
【図１１】
2014070377.tif 000013
【図１２】
2014070377.tif 000014
【図１３】
2014070377.tif 000015
【図１４】
2014070377.tif 000016